(57)【特許請求の範囲】
【請求項１】
挟着片を下端内方に向けて折曲形成させた脚片と、該脚片を下方に延設させた台座部とを含んで形成された挟着部材２つを、上記挟着片を対向させて相互に連結し、上記脚片を緊締して、上記挟着片を相互に近接させ、波形屋根の頂部より座金部を介して突出したボルト体に挟着、固定するようにした屋根上取付具であって、
上記２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結する構造となっており、
上記挟着片は、上記ボルト体の雄ネジ部に係止する係止部と、上記座金部を収容する座金部収容空所が形成された屋根上載置部とを備えたことを特徴とする屋根上取付具。
【請求項２】
請求項１において、
上記係止部がボルト係止溝部よりなる屋根上取付具。
【請求項３】
請求項１において、
上記係止部が係止突片よりなる屋根上取付具。
【発明の詳細な説明】
【技術分野】
【０００１】
本発明は、波形屋根の頂部より突出したボルト体に挟着させることで屋根上に取り付けるようにした屋根上取付具に関する。
【背景技術】
【０００２】
一般に、折板屋根（角波形屋根）、丸波形屋根等の波形屋根の上面に、例えばテレビアンテナや空調機器、太陽電池パネル、遮熱シート等の各種機器・部材類を配設することが実施されており、従来には、各種機器・部材類を屋根上に取り付けるための種々の屋根上取付具が提案されている（例えば、特許文献１、２参照）。
【０００３】
特許文献１に記載された屋根は、山部と谷部とが交互に連続してなる波形屋根における山部の頂部で、隣接する屋根材同士を重ねてなる重合部をボルト体とナットの螺着によって連結、固定する構造となっている。そして、その波形屋根に取り付けられる屋根上取付具は、重合部を波形屋根の下方より貫通して屋根上に突出した、屋根材連結のためのボルト体の雄ネジ部を、先端が相対向する挟着片で挟み込むことで設置できるようになっている。
【０００４】
具体的には、この屋根上取付具は、略門形に形成した挟着具の両脚片を横方向に貫通する緊締用ボルト、ナットで両脚片を緊締して、両脚片のそれぞれの下端から対向するように延びた両挟着片をボルト体に挟着させる構造となっている。そのため、挟着片の先端がボルト体のネジ溝に食い込んだ状態で係止、固定されるので、屋根上取付具は容易に外れることなく屋根上にしっかりと固定される。
【０００５】
また、特許文献２のものは、挟着具が支点連結された一対の挟着部材より構成され、頂部におけるハゼ部に対して挟着する構造となっているが、この種のものを、重ね式屋根に適用させ、両挟着片でボルト体に挟着させる構造に形成した場合でも、同様に屋根上取付具はしっかりと屋根上に固定されることが想定できる。
【先行技術文献】
【特許文献】
【０００６】
【特許文献１】特開２０１０−７７６９２号公報
【特許文献２】特許第３３６８３７４号公報
【発明の概要】
【発明が解決しようとする課題】
【０００７】
ところで、頂部から突出したボルト体に取り付けるタイプの屋根上取付具では、屋根上取付具を屋根上でぐらつかないように固定するためには、両挟着片でボルト体にしっかりと挟着させるとともに、さらに、それぞれの挟着片の下面全体または一部が屋根上に接触するように、つまり屋根上取付具自体が頂部に載置されるように取り付けることが望ましい。
【０００８】
ところが、そのような屋根上取付具では、ボルト体はナットとの螺合で屋根に固定され、そのナットは一般に座金を介して取り付けられるから、挟着片によるボルト体の挟着部位は、座金とその上に取り付けたナットよりもさらに上部となる。そのため、その挟着部位と、屋根上取付具自体を頂部に載置させることとを考慮すれば、特に山座金の場合には、挟着片の形状を工夫しないかぎり、屋根上取付具自体を頂部に載置することはむつかしい。
【０００９】
すなわち、屋根上取付具の安定的な設置を実現するためには、例えば図９（ａ）に示すように、ナットＣ１と座金Ｃ２を回避するように、屋根上取付具１００の挟着片１１０を先端に向けて上向き傾斜させボルト体Ｂを挟着させ、その基端１１１（脚片１２０の下端）を波形屋根Ｙの頂部Ｙ１ａに当接させるような形状としなければならない。
【００１０】
しかしながら、そのように挟着片１１０を上向き傾斜させたものでも、頂部Ｙ１ａの稜線方向に沿って両脚片１２０、１２０を並べるようにして屋根上取付具１００を設置する場合（図９（ａ）参照）には問題ないが、稜線方向に直交する方向に設置する場合（図９（ｂ）参照）には、座金Ｃ２が頂部Ｙ１ａの幅方向の中央部に配されるため、頂部Ｙ１ａの上面には挟着片１１０、１１０の基端１１１、１１１を当接させるスペースが形成されず、安定的な設置は望めない。なお図９（ａ）、（ｂ）中の１３０、１３１は両脚片１２０、１２０を緊締するための緊諦用ボルト、ナットである。
【００１１】
本発明は、このような事情を考慮して提案されたもので、その目的は、頂部に対してどのような方向に取り付ける場合でも、座金部を介してボルト体が突出した波形屋根の頂部に強固かつ安定的に取り付けることができる屋根上取付具を提供することにある。特に本発明では、一対の挟着部材を挟着片を対向させて相互に連結して、ボルト体に挟着、固定するようにした屋根上取付具において、強固かつ安定的に取り付けることを目的としている。
【課題を解決するための手段】
【００１２】
上記目的を達成するために請求項１に記載の屋根上取付具は、挟着片を下端内方に向けて折曲形成させた脚片と、該脚片を下方に延設させた台座部とを含んで形成された挟着部材２つを、挟着片を対向させて相互に連結し、脚片を緊締して、挟着片を相互に近接させ、波形屋根の頂部より座金部を介して突出したボルト体に挟着、固定するようにした屋根上取付具であって、２つの挟着部材のそれぞれは、ガイド突片と、該ガイド突片を貫挿可能な寸法とした貫挿開口部とを一体に備えた構造とされ、これら２つの挟着部材のガイド突片と貫挿開口部をそれぞれ雌雄結合させて２つの挟着部材を連結する構造となっており、挟着片は、ボルト体の雄ネジ部に係止する係止部と、座金部を収容する座金部収容空所が形成された屋根上載置部とを備えたことを特徴とする。
【００１３】
請求項２に記載の屋根上取付具は、係止部がボルト係止溝部よりなる。
【００１４】
請求項３に記載の屋根上取付具は、係止部が係止突片よりなる。
【発明の効果】
【００１５】
請求項１に記載の屋根上取付具によれば、挟着片に形成された係止部により波形屋根の頂部より突出したボルト体にしっかりと係止、挟着でき、かつ、座金部収容空所が形成された屋根上載置部により、頂部の上面に配されている座金部に抵触することなく、屋根上取付具を頂部に対してどのような方向に取り付ける場合でも確実に頂部の上面に載置できる。よって、屋根上載置部の頂部への接触による載置によって挟着片のボルト体への挟着がぐらつくことはなく、屋根上取付具の波形屋根への設置は安定する。
【００１６】
特に、本屋根上取付具は、一対の挟着部材を連結させる構造としているが、このような連結構造であっても、上記のように強固、安定的に屋根に取り付けられるのでぐらついたり、２つの挟着部材の連結によるずれが生じたりすることはない。
【００１７】
請求項２に記載の屋根上取付具によれば、係止部がボルト係止溝部よりなるので、ボルト体の雄ネジ部を抱持するように挟着でき、屋根上取付具をより強固に屋根上に取り付けられる。
【００１８】
請求項３に記載の屋根上取付具によれば、係止部が係止突片よりなり、係止突片でボルト体の雄ネジ部へ係止させる構造となっているので、係止部を簡易な形状に構成でき、製造コストを低減できる。
【図面の簡単な説明】
【００１９】
【図１】本発明に係る屋根上取付具の第１実施形態の説明図であり、（ａ）は屋根上取付具を波形屋根へ取り付ける前の状態を示した分解斜視図、（ｂ）は挟着片の展開図である。
【図２】同屋根上取付具の波形屋根への取り付け後の状態を示した斜視図である。
【図３】（ａ）は同屋根上取付具の波形屋根への取り付け後の状態を示した正面図、（ｂ）は同側面図である。
【図４】（ａ）、（ｂ）は、同屋根上取付具の施工手順を示す部分断面正面図である。
【図５】同屋根上取付具の波形屋根への他の設置例を示した正面図である。
【図６】図５の設置例において同屋根上取付具の波形屋根への載置状態を説明するための図である。
【図７】本発明に係る屋根上取付具の第２実施形態の説明図であり、（ａ）は屋根上取付具を波形屋根へ取り付ける前の状態を示した分解斜視図、（ｂ）は挟着片の展開図である。
【図８】同屋根上取付具の波形屋根への取り付け後の状態を示した斜視図である。
【図９】（ａ）、（ｂ）は、従来の屋根上取付具の設置方向が異なる２施工例を示す正面図である。
【発明を実施するための形態】
【００２０】
図１は、本発明に係る屋根上取付具の第１実施形態の説明図であり、図１（ａ）は屋根上取付具を波形屋根へ取り付ける前の状態を示した分解斜視図、図１（ｂ）は挟着片の展開図である。図２は、同屋根上取付具の波形屋根への取り付け後の状態を示した斜視図である。図３（ａ）は屋根上取付具の波形屋根への取り付け後の状態を示した正面図、図３（ｂ）は同側面図である。図４（ａ）、（ｂ）は、屋根上取付具の施工手順を示す部分断面正面図である。
【００２１】
この屋根上取付具Ａが取り付けされる波形屋根としては、図例として示した折板屋根Ｙ（角波形屋根）や丸波形屋根が挙げられる。また、屋根の素材としては、金属や合成樹脂、セメント系等のものが適用できる。
【００２２】
図例として示した折板屋根Ｙは、山部Ｙ１と谷部Ｙ２が交互に連続する屋根であって、複数の折板屋根材を側端縁の山部Ｙ１の頂部Ｙ１ａで重合し、その重合部でボルト体ＢとナットＣ１の螺着によって連結した重ね式接合構造となっている。
【００２３】
このナットＣ１は、図例においては、その下方の座金Ｃ２（図例では山座金）とともに座金部Ｃを構成している。座金Ｃ２は、ボルト孔からの水の浸入を防止するための防水パッキンＣ３を覆っている。なお、座金部Ｃは、図例のような座金Ｃ２を含まず螺着用のナットＣ１のみで構成してもよい。
【００２４】
また、折板屋根Ｙの裏側には、正面視で折板屋根Ｙと略同形状をなす、ボルト止めのための支持金具Ｙ３が取り付けられている。なお、屋根上取付具Ａを取り付けるためのボルト体Ｂの取付位置は隣接する折板屋根材の重合部に限らず、他の頂部Ｙ１ａに支持金具Ｙ３を用いてボルト体Ｂを取り付けてもよい。
【００２５】
この屋根上取付具Ａは、連結して挟着具１を構成するための２つの挟着部材１０、１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００２６】
それぞれの台座部１１における、２つの挟着部材１０、１０を連結する際に相互に隣接する辺縁部の中央には、屋根上取付物取付用の取付用ボルト３を挟み込んで固定するための切欠き凹所１１ｂが形成されている。そして、その辺縁の切欠き凹所１１ｂの両側方には、辺縁より垂下した対向片１１ａが分離形成されており、一側方の対向片１１ａには対向する相手側の挟着部材１０の対向片１１ａの方向に向かって突出したガイド突片１０ａが形成され、他側方の対向片１１ａには、そのガイド突片１０ａを貫挿可能な寸法とした貫挿開口部１０ｂが形成されている。
【００２７】
すなわち、一方の挟着部材１０のガイド突片１０ａが他方の挟着部材１０の貫挿開口部１０ｂに貫挿し、かつ他方の挟着部材１０のガイド突片１０ａが一方の挟着部材１０の貫挿開口部１０ｂに貫挿することで、２つの挟着部材１０、１０は結合する。つまり、両挟着部材１０、１０はそれぞれ雌雄一体構造であり、２組の雌雄部によって相互に結合する。
【００２８】
なお、挟着具１は２つの挟着部材１０、１０の結合とともに、緊締用ボルト２５と緊締用ナット２６との螺合による緊締によって一体化固定する構成であるため、貫挿による結合によって両者が固定状態にならなくてもよく、そのためガイド突片１０ａの貫挿開口部１０ｂに対する貫挿は遊貫であってもよい。結合バランスの調整のしやすさを考慮すれば、遊貫構造とするほうが望ましい。
【００２９】
挟着具１は、２つの挟着部材１０、１０の各挟着片１３の先端を相互に近接させて、ボルト体Ｂに挟着する構造となっている。挟着具１の緊締は、対向する両脚片１２、１２に開設された軸孔１２ａ、１２ａに貫通された緊締用ボルト２５と、緊締用ナット２６との螺合によってなされる。なお、２７はワッシャである。また、台座部１１の中央に立設された取付用ボルト３に、各種機器・部材類を取り付け可能にしている。
【００３０】
挟着片１３は、屋根上取付具Ａを折板屋根Ｙの頂部Ｙ１ａに取り付けたときに頂部Ｙ１ａの上面に接触する屋根上載置部１３ａを有し、その先端部において上方に折曲されて、ボルト体Ｂの雄ネジ部Ｂ１に係止する係止部を構成する、半割筒体よりなるボルト係止溝部１３ｂが形成されている。
【００３１】
この屋根上載置部１３ａは、図１（ｂ）の挟着片部分の展開図に示すように中央部が開口されており、これを折り曲げて挟着片１３を形成したときには、その開口によって、屋根上取付具Ａを頂部Ｙ１ａに設置したときに上記座金部Ｃを収容する（回避する）座金部収容空所１３ａａが形成される。
【００３２】
この座金部収容空所１３ａａは、平面的には座金Ｃ２の大きさ分を収容でき、高さ方向においてはナットＣ１の上端までを収容できる程度の空所であればよい。座金部ＣがナットＣ１のみよりなるものであれば、その寸法に応じた小さな体積の座金部収容空所１３ａａを備えればよいが、図例のような座金部Ｃに対応したものでも使用可能であることはいうまでもない。
【００３３】
また、ボルト係止溝部１３ｂは内側に雌ネジ部１３ｂａを形成した半割筒体よりなり、脚片１２の緊締によって両ボルト係止溝部１３ｂ、１３ｂでボルト体Ｂを抱持することで雄ネジ部Ｂ１と係止される。こうして、雄ネジ部Ｂ１とボルト係止溝部１３ｂとは、ネジ山とネジ溝とが相互に噛み合って、強固な挟着関係が形成され、それによって屋根上取付具Ａがボルト体Ｂに固定される。
【００３４】
また、図２に示すように、屋根上取付具Ａは頂部Ｙ１ａの上面に載置されるように固定される。つまり、屋根上取付具Ａを設置したときには挟着片１３の屋根上載置部１３ａは頂部Ｙ１ａの上面に接触する。
【００３５】
したがって、この屋根上取付具Ａによれば、ボルト係止溝部１３ｂにより折板屋根Ｙの頂部Ｙ１ａより突出したボルト体Ｂにしっかりと係止、挟着でき、屋根上載置部１３ａの頂部Ｙ１ａへの接触によって挟着片１３のボルト体Ｂへの挟着を補完でき、それによって屋根上取付具Ａのぐらつきを防止できる。特に図６で後述するように、屋根上載置部１３ａは、座金部Ｃの周回部において頂部Ｙ１ａ上面に接触するので、安定的な設置が望める。
【００３６】
以上のように構成した本発明の屋根上取付具Ａは、以下の要領で折板屋根Ｙに取り付けて使用する。
【００３７】
まず、一方の挟着部材１０の台座部１１の切欠き凹所１１ｂに取付用ボルト３の軸部を嵌め入れ、上方に突き出た軸部に落下防止プレート４を装着して仮止めしておく。つぎに、２つの挟着部材１０、１０の脚片１２、１２の軸孔１２ａ、１２ａに緊締用ボルト２５の軸部を貫通させたうえで、緊締用ボルト２５の先端側から緊締用ナット２６を軽く締めるとともに、２つの挟着部材１０、１０のガイド突片１０ａと貫挿開口部１０ｂを軽く雌雄結合（ガイド突片１０ａの先端部を貫挿開口部１０ｂに挿入）させて仮止め状態にし、その挟着具１を、折板屋根Ｙより突出したボルト体Ｂの上方から、両挟着片１３、１３のボルト係止溝部１３ｂ、１３ｂ間の間隙Ｓを通じてボルト体Ｂを嵌挿する（図４（ａ）参照）。
【００３８】
次に、仮止め状態にしていた緊締用ボルト２５および緊締用ナット２６を締め付けていくと、２つのガイド突片１０ａ、１０ａが対応した貫挿開口部１０ｂ、１０ｂに貫挿して２つの台座部１１、１１が隙間なく密着する。それと同時に、螺合による締め付け力によって両脚片１２、１２が近接して、両挟着片１３、１３のボルト係止溝部１３ｂ、１３ｂも互いに近接し、両半割筒体がボルト体Ｂの雄ネジ部Ｂ１を挟み込み、ボルト係止溝部１３ｂ、１３ｂがボルト体Ｂの雄ネジ部Ｂ１の外周面のネジ溝に係止して（螺合関係を形成して）ボルト体Ｂを挟持する（図４（ｂ）参照）。
【００３９】
こうして折板屋根Ｙに取り付けた屋根上取付具Ａの台座部１１の上には、各種機器・部材類を取り付けることができる（図４（ｂ）参照）。
【００４０】
以上に示した施工手順例では、２つの挟着部材１０、１０を仮結合させた状態で折板屋根Ｙ上に取り付けるようにしているが（図４（ａ）、（ｂ）参照）、両挟着部材１０、１０を分離した状態でボルト体Ｂを挟んで折板屋根Ｙ上に載置してから、両挟着部材１０、１０をスライドさせながら結合させるようにしてもよい。
【００４１】
図５は、図１に示した屋根上取付具Ａの波形屋根（折板屋根Ｙ）への他の設置例を示した正面図である。すなわち、図５は屋根上取付具Ａを頂部Ｙ１ａの幅方向に両脚片１２、１２を並べるように設置した例図である。なお、折板屋根Ｙの構造は図１のものと同様であり、その形状、構造等については同一の符号を付してその説明を割愛する。
【００４２】
図５のように、座金Ｃ２の径が大きく、頂部Ｙ１ａの幅方向の両側に広いスペースが得られない場合（図１参照）でも、座金部収容空所１３ａａが形成された屋根上載置部１３ａが挟着片１３に形成されているため、図５の例のように頂部Ｙ１ａの幅方向に両脚片１２、１２を並べるように設置する場合でも、挟着片１３は座金部Ｃに抵触することなく、挟着片１３を安定的に頂部Ｙ１ａの上面に接触、載置させることができる。
【００４３】
なお、図６は図５における屋根上取付具Ａの折板屋根Ｙへの載置状態を示した概略平面図であるが、両挟着片１３、１３の屋根上載置部１３ａ、１３ａは、クロスハッチングで示しているように座金部Ｃに接触することなく、頂部Ｙ１ａの上面に面接触している。
【００４４】
ついで、本発明の第２実施形態について、図７、図８を参照しながら説明する。
【００４５】
図７は、本発明に係る屋根上取付具の第２実施形態の説明図であり、図７（ａ）は屋根上取付具を波形屋根へ取り付ける前の状態を示した分解斜視図、図７（ｂ）は挟着片の展開図である。図８は、同屋根上取付具の波形屋根への取り付け後の状態を示した斜視図である。
【００４６】
なお、本実施形態の屋根上取付具の取付対象である波形屋根（折板屋根Ｙ）の素材、構造、重合部を連結するボルト体および座金部については、第１実施形態のものと同一であるため説明を省略する。
【００４７】
この屋根上取付具Ａは、第１実施形態の屋根上取付具と同様、連結して挟着具１を構成するための２つの挟着部材１０、１０を含んで構成されており、２つの挟着部材１０、１０はそれぞれ、ボルト体Ｂを挟着する挟着片１３を下端内方に向けて折曲形成させた脚片１２と、脚片１２を下方に延出させた台座部１１とを含んで、同一寸法、同一形状に形成されている。
【００４８】
それぞれの台座部１１における、２つの挟着部材１０、１０を連結する際に相互に隣接する辺縁中央には、屋根上取付物取付用の取付用ボルト３を挟み込んで固定するための切欠き凹所１１ｂが形成されている。そして、その辺縁の切欠き凹所１１ｂの両側方には、辺縁より垂下した対向片１１ａが分離形成されており、一側方の対向片１１ａには対向する相手側の挟着部材１０の対向片１１ａの方向に向かって突出したガイド突片１０ａが形成され、他側方の対向片１１ａには、そのガイド突片１０ａを貫挿可能な寸法とした貫挿開口部１０ｂが形成されている。
【００４９】
すなわち、一方の挟着部材１０のガイド突片１０ａが他方の挟着部材１０の貫挿開口部１０ｂに貫挿し、かつ他方の挟着部材１０のガイド突片１０ａが一方の挟着部材１０の貫挿開口部１０ｂに貫挿することで、２つの挟着部材１０、１０は結合する。つまり、両挟着部材１０、１０はそれぞれ雌雄一体構造であり、２組の雌雄部によって相互に結合する。
【００５０】
挟着具１は、２つの挟着部材１０、１０の緊締によって各挟着片１３の先端を相互に近接させて、ボルト体Ｂに挟着する構造となっている。なお、一対の挟着部材１０、１０の緊締構造については、第１実施形態と同様であるため、同一の符号を付して、その説明を省略する。また、台座部１１の中央に立設された取付用ボルト３に、各種機器・部材類を取り付け可能にしている。
【００５１】
挟着片１３は、屋根上取付具Ａを折板屋根Ｙの頂部Ｙ１ａに取り付けたときに頂部Ｙ１ａの上面に接触する屋根上載置部１３ａを有し、その先端部において上方に折曲されさらに折り返されて、ボルト体Ｂに対向する箇所に係止凹所１３ｃが形成され、さらに係止凹所１３ｃの底部にボルト体Ｂの雄ネジ部Ｂ１に係止する係止突片１３ｃａが形成されている。
【００５２】
この屋根上載置部１３ａは、図７（ｂ）の挟着片部分の展開図に示すように中央部に大きな開口が形成され、その開口に連通する凹所（係止凹所１３ｃ）が形成されている。この挟着片板材を折り曲げて挟着片１３を形成したときには、その開口によって、屋根上取付具Ａを頂部Ｙ１ａに設置したときに上記座金部Ｃを収容する（回避する）座金部収容空所１３ａａが形成される。
【００５３】
この座金部収容空所１３ａａは、平面的には座金Ｃ２の大きさ分を収容でき、高さ方向においてはナットＣ１の上端までを収容できる程度の空所であればよい。座金部ＣがナットＣ１のみよりなるものであれば、その寸法に応じた小さな体積の座金部収容空所１３ａａを備えればよいが、図例のような座金部Ｃに対応したものでも使用可能であることはいうまでもない。
【００５４】
また、係止突片１３ｃａは、脚片１２の緊締によって両係止凹所１３ｃ、１３ｃでボルト体Ｂを抱持することで雄ネジ部Ｂ１と係止される。こうして、雄ネジ部Ｂ１のネジ溝に係止突片１３ｃａが噛み合って、強固な挟着関係が形成され、それによって屋根上取付具Ａがボルト体Ｂに固定される。なお、この係止突片１３ｃａはやや上向きに形成することが望ましい。係止を強力にするために、さらに係止凹所１３ｃの両側部も雄ネジ部Ｂ１に食い込ませるようにしてもよい。つまり、係止突片１３ｃａのみならず、係止凹所１３ｃ全体でもって係止部を構成してもよい。
【００５５】
また、図８に示すように、屋根上取付具Ａは頂部Ｙ１ａの上面に載置されるように固定される。つまり、屋根上取付具Ａを設置したときには挟着片１３、１３の屋根上載置部１３ａ、１３ａは頂部Ｙ１ａの上面に座金部Ｃを取り囲むように接触する。
【００５６】
したがって、この屋根上取付具Ａによれば、係止突片１３ｃａにより折板屋根Ｙの頂部Ｙ１ａより突出したボルト体Ｂにしっかりと係止、挟着でき、屋根上載置部１３ａの頂部Ｙ１ａへの接触によって挟着片１３のボルト体Ｂへの挟着を補完でき、それによって屋根上取付具Ａのぐらつきを防止できる。
【００５７】
また、第１実施形態と同様、座金Ｃ２の径が大きく、頂部Ｙ１ａの幅方向の両側に広いスペースが得られない場合でも、座金部収容空所１３ａａが形成された屋根上載置部１３ａが挟着片１３に形成されているため、第１実施形態の図６で示した設置例のように、頂部Ｙ１ａの幅方向に両脚片１２、１２を並べるように設置する場合でも、挟着片１３は座金部Ｃに抵触することなく、挟着片１３を安定的に頂部Ｙ１ａの上面に接触、載置させることができる。
【００５８】
なお、本実施形態の施工手順については、第１実施形態（図４参照）とほぼ同じであるため説明を省略する。
【符号の説明】
【００５９】
Ａ      屋根上取付具
１      挟着具
１０      挟着部材
１０ａ      ガイド突片
１０ｂ      貫挿開口部
１１      台座部
１１ａ      対向片
１１ｂ      切欠き凹所
１２      脚片
１２ａ      軸孔
１３      挟着片
１３ａ      屋根上載置部
１３ａａ      座金部収容空所
１３ｂ      ボルト係止溝部
１３ｂａ      雌ネジ部
１３ｃ      係止凹所
１３ｃａ      係止突片
Ｂ      ボルト体
Ｂ１      雄ネジ部
Ｃ      座金部
Ｃ１      ナット
Ｃ２      座金
Ｙ      折板屋根（波形屋根）
Ｙ１      山部
Ｙ１ａ      頂部
Ｙ２      谷部
【図１】
0005111575.tif 000002
【図２】
0005111575.tif 000003
【図３】
0005111575.tif 000004
【図４】
0005111575.tif 000005
【図５】
0005111575.tif 000006
【図６】
0005111575.tif 000007
【図７】
0005111575.tif 000008
【図８】
0005111575.tif 000009
【図９】
0005111575.tif 000010